(57)【要約】【課題】パチンコ玉の研磨ムラを可及的に防止できる揚送装置を提供する。【解決手段】揚送装置は、パチンコ玉と接触する搬送面を有し上端と下端との間を一方向へ移動する揚送ベルトと、搬送面と対向しこの揚送ベルトとの間にパチンコ玉を挟持する揚送基部と、下端に移動した揚送ベルトとの間にパチンコ玉を挟持して揚送基部に導くための円弧状案内部と、パチンコ玉を円弧状案内部に導くための、円弧状案内部に連接する流入傾斜部と、を備えている。流入傾斜部（５３）は、複数のガイド溝（５５）を上側面に有し、かつ、揚送ベルトとの間に形成される流入領域から複数のガイド溝に流入したパチンコ玉の転がり速度を減速するための減速手段（５９）を有する。この減速によりパチンコ玉の流入数を減少させ、流入した個々のパチンコ玉が受ける力を大きくし、研磨ムラを可及的に解消する。【選択図】　　　図５
2004089262.tif 000002
【特許請求の範囲】
【請求項１】
パチンコ玉と接触する搬送面を有する、上端と下端との間を一方向へ移動する揚送ベルトと、
この揚送ベルトとの間にパチンコ玉を挟持する、前記搬送面と対向して位置する起立した揚送基部と、
下端に移動した前記揚送ベルトとの間にパチンコ玉を挟持して前記揚送基部に導くための、前記搬送面と対向して位置する円弧状案内部と、
パチンコ玉を前記円弧状案内部に導くための、前記円弧状案内部に連接する流入傾斜部と、を備え、
この流入傾斜部は、前記円弧状案内部へ向けて延びる複数のガイド溝を上側面に有し、かつ、前記揚送ベルトとの間に形成される流入領域から前記複数のガイド溝に流入したパチンコ玉の転がり速度を減速するための減速手段を有する
ことを特徴とする、ベルト式パチンコ玉揚送装置。
【請求項２】
前記減速手段は、前記流入傾斜部の前記各ガイド溝内にある各パチンコ玉の前記ガイド溝との摩擦を大きくするように構成した
ことを特徴とする、請求項１に記載のベルト式パチンコ玉揚送装置。
【請求項３】
前記流入傾斜部の前記各ガイド溝は、パチンコ玉の転動方向の両側に位置する一対の側壁と、パチンコ玉の直径より小さい幅の、パチンコ玉の転動方向へ延びるスリットを有する、パチンコ玉の下側に位置する底壁と、この底壁の前記スリット内に進入可能、かつ、退出可能な補助底壁と、を備え、
前記流入傾斜部は、前記補助底壁が前記スリット内に進入したとき、パチンコ玉を前記補助底壁で転動させ、前記補助底壁が前記スリットから退出したとき、パチンコ玉を前記スリットの両側の縁部で転動させるように構成した
ことを特徴とする、請求項１又は２に記載のベルト式パチンコ玉揚送装置。
【請求項４】
前記減速手段は、前記流入傾斜部の水平面に対する傾斜角度を小さくするように構成した
ことを特徴とする、請求項１に記載のベルト式パチンコ玉揚送装置。
【請求項５】
前記揚送基部は、前記流入傾斜部の前記ガイド溝と同数の、前記揚送ベルトの移動方向へ延びるガイド溝を前記搬送面と対向する面に有し、前記円弧状案内部は、前記流入傾斜部の前記ガイド溝と同数の、前記揚送ベルトの移動方向へ延びるガイド溝を前記搬送面と対向する面に有する
ことを特徴とする、請求項１ないし４のいずれかに記載のベルト式パチンコ玉揚送装置。
【発明の詳細な説明】
【０００１】
【発明の属する技術分野】
この発明は、一方向へ移動する揚送ベルトと起立する揚送基部との間にパチンコ玉を挟持して揚送するためのベルト式パチンコ玉揚送装置（以下、適宜「揚送装置」という）に関する。
【０００２】
【従来の技術】
一部を断面とした側面図の図１１に示すように、従来の揚送装置２０１は、パチンコ玉Ｐ，・・と接触する搬送面２０３ａを有する、上端と下端との間を一方向へ移動する揚送ベルト２０３と、揚送ベルト２０３との間にパチンコ玉Ｐ，・・を挟持する、搬送面２０３ａと対向して位置する起立した揚送基部２０５と、下端（下端部）に移動した揚送ベルト２０３ｂとの間にパチンコ玉Ｐ，・・を挟持して揚送基部２０５に導くための、搬送面２０３ａと対抗して位置する円弧状案内部２０７と、パチンコ玉Ｐ，・・を円弧状案内部２０７に導くための、円弧状案内部２０７に連接する流入傾斜部２０９と、を備えている。下端に移動した揚送ベルト２０３ｂ及び下端近くに位置する揚送ベルト２０３と流入傾斜部２０９との間には、側面視の形状がほぼＶ字状を呈する流入領域２１１が形成され、この流入領域２１１にパチンコ玉Ｐ，・・が重なり合った状態で流入する。流入領域２１１に流入したパチンコ玉Ｐ，・・は、下端近くに位置する揚送ベルト２０３と流入傾斜部２０９との距離が狭まるにつれて次第に均され、ついには下端に移動した揚送ベルト２０３ｂと円弧状案内部２０７との間に一列状態で挟持される（例えば、特許第２５４８６８２号特許掲載公報）。
【０００３】
【発明が解決しようとする課題】
前述の従来の揚送装置２０１では、流入領域２１１に流入するパチンコ玉Ｐ，・・の流入数が変化したときに磨きムラが生じやすい。つまり、揚送基部２０５と搬送ベルト２０３により挟持したパチンコ玉Ｐ，・・は、前者の反作用により受ける力と後者から受ける力（押圧力）とを受けることになるが、その力の大きさはパチンコ玉Ｐ．・・の流入数に関係なくほぼ一定である。このため、流入数が比較的少ないときに個々のパチンコ玉Ｐ．・・が受ける力と比較的多いときのそれとを比べると前者の力の方が大きい。したがって、流入数が多くそのため個々のパチンコ玉Ｐ．・・が受ける力が小さすぎると、思うような研磨効果をあげられない場合が生じる。これが研磨ムラである。本発明が解決しようとする課題は、流入するパチンコ玉の研磨ムラを可及的に防止することのできる揚送装置を提供することにある。
【０００４】
【課題を解決するための手段】
上記の課題を解決するために発明者は、パチンコ玉Ｐ．・・が流入する際の転がり速度を減速させることにより流入数を制限する手段を採用した。流入数を制限することにより、パチンコ玉Ｐ，・・ができるだけ均一な力を受けられるようにして研磨ムラを防止した。その詳しい内容については、項を改めて説明する。なお、いずれかの請求項における発明の説明において行う用語の定義等は、その性質上可能な範囲において他の請求項における発明にも適用されるものとする。
【０００５】
（請求項１に記載した発明の特徴）
請求項１に記載した発明に係る揚送装置（以下、「請求項１の揚送装置」という）は、パチンコ玉と接触する搬送面を有する、上端と下端との間を一方向へ移動する揚送ベルトと、この揚送ベルトとの間にパチンコ玉を挟持する、前記搬送面と対向して位置する起立した揚送基部と、下端に移動した前記揚送ベルトとの間にパチンコ玉を挟持して前記揚送基部に導くための、前記搬送面と対向して位置する円弧状案内部と、パチンコ玉を前記円弧状案内部に導くための、前記円弧状案内部に連接する流入傾斜部と、を備えている。この流入傾斜部は、前記円弧状案内部へ向けて延びる複数のガイド溝を上側面に有し、かつ、前記揚送ベルトとの間に形成される流入領域から前記複数のガイド溝に流入したパチンコ玉の転がり速度を減速するための減速手段を有する。複数のガイド溝を上側面に有する流入傾斜部は、流入領域の全体にわたる大きさにする必要はなく、例えば、揚送ベルトとの間の鋭角状すきま側において流入領域の約半分ないし約３分の１にわたる大きさにすることができる。この場合、流入領域の残り部分には、下向きに傾斜した平板状又は湾曲状の傾斜シュートを配置する。複数のガイド溝それぞれの幅、すなわちパチンコ玉の転動方向に直交する方向の間隔は、パチンコ玉がガイド溝に沿って一列に入る大きさ、つまりパチンコ玉の直径よりもわずかに大きな寸法とするが、ガイド溝の高さは任意である。したがって、ガイド溝の高さがパチンコ玉の直径より大きくても、ほぼ同じであっても、小さくても良い。減速手段は、パチンコ玉の転がり速度を減速できるものであればよく、摩擦を大きくしたり、流入傾斜部の水平に対する傾斜角度を小さくしたり、パチンコ玉を制動したりなどの形態とすることができる。減速手段によるパチンコ玉の減速は、必要なときだけ減速するようにする他、常に減速状態に保つこともできる。前者の必要なときだけ減速する態様によれば、能率よくパチンコ玉を揚送することができる。
【０００６】
（請求項１に記載した発明の作用効果）
請求項１の揚送装置によれば、流入領域に流入したパチンコ玉は、流入傾斜部の複数のガイド溝によって整列状態となる。すなわち、パチンコ玉は各ガイド溝に入り、ガイド溝に沿って整列するところ、複数のガイド溝があることから、整列状態がガイド溝に直交する方向においても確保されることとなり、パチンコ玉はいわば面的な広がりをもって整列状態に保たれる。加えて、必要に応じてガイド溝を転動するパチンコ玉の転動速度が減速手段によって減速されるため、その分、パチンコ玉の流入数が減少する。流入数の減少により、減少した分だけ流入した個々のパチンコ玉が受ける力が大きくなり、これにより力不足による研磨ムラがなくなる。この整列したパチンコ玉は、揚送ベルトと円弧状案内部、揚送ベルトと揚送基部の作用によって上方へ持ち上げられ、揚送される。
【０００７】
（請求項２に記載した発明の特徴）
請求項２に記載した発明に係る揚送装置（以下、「請求項２の揚送装置」という）は、請求項１の揚送装置の構成に限定が加わり、前記減速手段が、前記流入傾斜部の前記各ガイド溝内にある各パチンコ玉の前記ガイド溝との摩擦を大きくするように形成されている。摩擦を大きくするには、各パチンコ玉のガイド溝との接触部分を多くする他、ガイド溝の入口側から出口側へ向けて摩擦係数が次第に大きくなるように、例えば塗料をガイド溝に塗布する。
【０００８】
（請求項２に記載した発明の作用効果）
請求項２の揚送装置によれば、請求項１の揚送装置の作用効果に加え、パチンコ玉の転がり速度が速いとき、減速手段によってパチンコ玉のガイド溝との摩擦を大きくし、転がり速度を減速することができる。摩擦を大きくして減速するので、簡単な構造で高い減速効果を奏する。
【０００９】
（請求項３に記載した発明の特徴）
請求項３に記載した発明に係る揚送装置（以下、「請求項３の揚送装置」という）は、請求項１又は２の揚送装置の構成に限定が加わり、前記流入傾斜部の前記各ガイド溝が、パチンコ玉の転動方向の両側に位置する一対の側壁と、パチンコ玉の直径より小さい幅の、パチンコ玉の転動方向へ延びるスリットを有する、パチンコ玉の下側に位置する底壁と、この底壁の前記スリット内に進入可能、かつ、退出可能な補助底壁と、を備える。そして、前記流入傾斜部は、前記補助底壁が前記スリット内に進入したとき、パチンコ玉を前記補助底壁で転動させ、前記補助底壁が前記スリットから退出したとき、パチンコ玉を前記スリットの両側の縁部で転動させるように形成されている。補助底壁は、スリット内に進入でき、またスリットから退出できるものであれば、複数のスリットに複数の補助底壁が同時に進入、退出するように複数の補助底壁を一体に作ったものであっても、各ガイド溝のスリット毎に別個に作ったものであってもよい。また、補助底壁は、一端部で揺動可能に支持すると共に、他端部にソレノイド、液圧シリンダ装置、ねじ機構のような伸縮装置を連結して他端部を移動し、補助底壁の全体を揺動させる形態としたり、補助底壁のほぼ中央に伸縮装置を連結して補助底壁の全体を平行移動し、並進運動させる形態とすることができる。
【００１０】
（請求項３に記載した発明の作用効果）
請求項３の揚送装置によれば、請求項１又は２の揚送装置の作用効果に加え、補助底壁のスリット内への進入、スリットからの退出によってパチンコ玉がガイド溝と接触する部分の数を変えることができる。すなわち、補助底壁がスリット内に進入したとき、パチンコ玉は補助底壁と一点で接触し、補助底壁を転動するのに対して、補助底壁がスリットから退出したとき、パチンコ玉はスリットの２つの縁部それぞれと二点で接触し、スリットの縁部を転動する結果、摩擦を確実に大きくすることができる。
【００１１】
（請求項４に記載した発明の特徴）
請求項４に記載した発明に係る揚送装置（以下、「請求項４の揚送装置」という）は、請求項１の揚送装置の構成に限定が加わり、前記減速手段が、前記流入傾斜部の水平面に対する傾斜角度を小さくするように形成されている。流入傾斜部の傾斜角度を小さくするには、流入傾斜部を出口側の端部で揺動可能に支持すると共に、入口側の端部に伸縮装置を連結して入口側の端部を下方へ引き下げ、流入傾斜部の全体を下方へ揺動させる形態としたり、流入傾斜部を入口側の端部で揺動可能に支持すると共に、出口側の端部に伸縮装置を連結して出口側の端部を上方へ押し上げ、流入傾斜部の全体を上方へ揺動させる形態とすることができる。
【００１２】
（請求項４に記載した発明の作用効果）
請求項４の揚送装置によれば、請求項１の揚送装置の作用効果に加え、パチンコ玉の転がり速度を直接的に減速することができる。すなわち、請求項２又は３の揚送装置では、パチンコ玉の摩擦を大きくすることにより、パチンコ玉の転がり速度を減速しているが、請求項４の揚送装置では、流入傾斜部の水平面に対する傾斜角度を小さくし、直ちに転がり速度を減速している。請求項４の揚送装置の場合、パチンコ玉の転がり速度が傾斜角度のわずかな減少によって大きく変動する。
【００１３】
（請求項５に記載した発明の特徴）
請求項５に記載した発明に係る揚送装置（以下、「請求項５の揚送装置」という）は、請求項１ないし４のいずれかの揚送装置の構成に限定が加わり、前記揚送基部は、前記流入傾斜部の前記ガイド溝と同数の、前記揚送ベルトの移動方向へ延びるガイド溝を前記搬送面と対向する面に有し、前記円弧状案内部は、前記流入傾斜部の前記ガイド溝と同数の、前記揚送ベルトの移動方向へ延びるガイド溝を前記搬送面と対向する面に有する。揚送基部及び円弧状案内部がそれぞれ有するガイド溝は、ガイド溝そのものの他、ガイド溝に研磨布を装着した研磨布付きガイド溝とすることができる。
【００１４】
（請求項５に記載した発明の作用効果）
請求項５の揚送装置によれば、請求項１ないし４のいずれかの揚送装置に加え、円弧状案内部及び揚送基部が流入傾斜部に設けたガイド溝と同数のガイド溝を有するため、流入傾斜部のガイド溝に入ったパチンコ玉がそのまま円弧状案内部及び揚送基部のガイド溝に導かれることなり、パチンコ玉の円弧状案内部及び揚送基部を経ての揚送を円滑に行うことができる。
【００１５】
【発明の実施の形態】
以下、図面を参照しながら、本発明の実施の形態（以下、適宜「本実施形態」という）について説明する。図１は、揚送装置を備えるパチンコ島の概略を示す正面図である。図２は、揚送装置の一部を切欠いて示す側面図である。図３は、図２に示した揚送装置の下方部分を拡大して示す側面図である。図４は、流入傾斜部、円弧状案内部及び揚送基部の実施形態を示す、一部を断面とした側面図である。図５は、図４の５―５線に沿って切断した拡大断面図で、補助底壁がスリットから退出した状態を示している。図６は、図４と同様な拡大断面図で、補助底壁がスリット内に進入した状態を示している。図７は、流入傾斜部の平面図である。図８は、流入傾斜部、円弧状案内部及び揚送基部の別の実施形態を示す、一部を断面とした側面図である。図９は、図８の９−９線に沿って切断した断面図である。図１０は、図３の１０−１０線に沿って切断した一部を示す断面図である
【００１６】
（揚送装置の設置例）
パチンコ島２１は、図１に示すように、並べて配置した複数のパチンコ遊技機２３，・・を備えており、パチンコ島２１の内部には、傾斜シュート２５と、揚送装置２７とを配置してある。各パチンコ遊技機２３から排出された遊技済みパチンコ玉は、傾斜シュート２５上に落ちた後、傾斜シュート２５を転がり、揚送装置２７の下方部分に集まる。揚送装置２７の下方部分に集まった遊技済みパチンコ玉は、揚送装置２７によって揚送、つまり持ち上げて上方へ搬送され、再びパチンコ遊技機２３，・・に導かれる。パチンコ島２１には、遊技者が獲得したパチンコ玉を計数するカウンタを配置することがあるが、このカウンタで計数済みのパチンコ玉もまた揚送装置２７の下方部分に集まる。本実施形態の揚送装置２７は、パチンコ島２１の内部に配置してあるが、これ以外の場所に配置する場合でも、パチンコ玉を揚送することができる。揚送装置２７は、パチンコ玉を揚送する間にパチンコ玉を研磨すること、すなわち揚送機能と研磨機能とを備えていることが好ましく、これによって別個に研磨装置を設ける必要がなくなる。
【００１７】
（揚送装置の構造）
揚送装置２７は、図２に示すように、床面に設置するベース部２９と、ベース部２９から起立する揚送塔３１とを備えている。揚送塔３１は正面にドア３３を備え、揚送ベルト３５と、揚送ベルト３５との間にパチンコ玉Ｐを挟持する揚送基部３７と、揚送ベルト３５との間にパチンコ玉Ｐを挟持して揚送基部３７に導くための円弧状案内部３９とをドア３３の内側に配置してある。
【００１８】
揚送ベルト３５は、図２及び図３に示すように、パチンコ玉Ｐと接触する搬送面３５ａを有し、揚送塔３１の上端（上端部）に回転可能に取り付けた従動ローラ４１と揚送塔３１の下端（下端部）に回転可能に取り付けた駆動ローラ４３との間に掛け渡してある。駆動ローラ４３は従動プーリ４５と連結され、駆動モータ４７に取り付けた駆動プーリ４９と従動プーリ４５との間に掛け渡したベルト５１によって駆動され、図３の時計方向へ回転する。その結果、揚送ベルト３５は上端と下端との間を一方向へ移動する。
【００１９】
揚送基部３７は、図３に示すように、揚送ベルト３５の搬送面３５ａと対向して位置し、かつ、揚送ベルト３５との間にパチンコ玉Ｐ，・・を挟持できる間隔をおくように揚送塔３１に設けたもので、ベース部２９に対して実質的に直交し、起立している。揚送基部３７は、後述するように、ガイド溝を設けることが好ましい。揚送塔３１には、さらに、揚送基部３７に連接し、上端に達する揚送部を設け、揚送ベルト３５との間にパチンコ玉Ｐ，・・を挟持するが、揚送部は、揚送基部３７と実質的に同じ構造であるので、揚送部の図示は省略してある。
【００２０】
円弧状案内部３９は、図３に示すように、揚送ベルト３５の搬送面３５ａと対向して位置し、かつ、下端に移動した揚送ベルト３５ｂとの間にパチンコ玉Ｐ，・・を挟持できる間隔をおくように揚送塔３１の下端に設けたもので、駆動ローラ４３と同心状の円弧を呈している。円弧状案内部３９は揚送基部３７に接線状に連接している。円弧状案内部３９は、後述するように、ガイド溝を設けることが好ましい。
【００２１】
揚送装置２７は、さらに、パチンコ玉Ｐ，・・を円弧状案内部３９に導くための、円弧状案内部３９に接線状に連接する流入傾斜部５３を備える。流入傾斜部５３は、図３ないし図７に示すように、円弧状案内部３９へ向けて延びる複数のガイド溝５５，・・を上側面に有し、かつ、揚送ベルト３５との間に形成される流入領域５７（図３）から複数のガイド溝５５，・・に流入したパチンコ玉Ｐ，・・の転動速度を減速するための減速手段５９を備えている。
【００２２】
本実施形態では、流入案内部５３は、流入領域５７のうちほぼ半分にわたる大きさであり、流入領域５７の残りの部分には平板状の傾斜シュート６１を設けてある。流入案内部５３は、複数のガイド溝５５，・・がある転動部６３と、転動部６３の下側に配置した作動部６５とを備える。転動部６３は、複数の側壁６７を、長方形の平面形状を有する底壁６９から直立して等間隔で並べ、隣り合った側壁６７，６７間の間隔をガイド溝５５，・・とした形態である。ガイド溝５５，・・は、パチンコ玉Ｐ，・・がわずかなすきまをおいてガイド溝５５，・・内に入る寸法に定めてある。転動部６３の底壁６９は、傾斜シュート６１及び円弧状案内部３９に連結し、不変に保持する。一方、作動部６５は、パチンコ玉Ｐ，・・の転がり方向に対して上流側で制御板７３をヒンジ７１によって傾斜シュート６１に揺動可能に連結すると共に、パチンコ玉Ｐ，・・の転がり方向に対して下流側でソレノイド７５を制御板７３に連結し、引っ張りコイルばね７７によって制御板７３を上向きに付勢して形成されている。転動部６３の両側には一対のガイド板６３ａ，６３ａを取り付けてあり、制御板７３はガイド板６３ａ，６３ａによって案内された状態で揺動する。引っ張りコイルばね７７は、制御板７３に設けたフック７７ａとガイド板６３ａに設けたフック７７ｂとに掛け渡してある。図示のように、引っ張りコイルばね７７を制御板７３の片側のみに取り付けても良く、また両側に取り付けることもできる。作動部６５のソレノイド７５と引っ張りコイルばね７７に代えて、液圧シリンダやねじ機構を使用して制御板７３を上下に揺動させることもできる。
【００２３】
図５ないし図７に示した本実施形態では、流入傾斜部５３のガイド溝５５，・・は、パチンコ玉Ｐの転動方向の両側に位置する一対の側壁６７，６７と、パチンコ玉Ｐ，・・の転動方向へ延びるスリット７９を有する、パチンコ玉の下側に位置する底壁６９と、底壁６９のスリット７９内に進入可能、かつ、退出可能な補助底壁８１とを備える。スリット７９は、パチンコ玉Ｐ，・・の直径より小さい横幅Ｗを有する。このように構成した結果、補助底壁８１がスリット７９内に進入したとき、パチンコ玉Ｐ，・・を補助底壁８１と一点接触状態で転動させ、補助底壁８１がスリット７９から退出したとき、パチンコ玉Ｐ，・・をスリット７９の両側の縁部７９ａ，７９ａと二点接触状態で転動させることができる。パチンコ玉Ｐ，・・が両側にある縁部７９ａ，７９ａを転動するとき、補助底壁８１を転動するときと比べて摩擦接触する部分が２倍となることから、両側にある縁部７９ａ，７９ａが減速手段５９を構成する。補助底壁８１は、作動部６５の制御板７３から上方へ突出した突起の形態であり、複数のガイド溝５５，・・と同数の突起が複数のガイド溝５５，・・と対応して制御板７３に設けられている。
【００２４】
（本実施形態の作用効果）
流入傾斜部５３のソレノイド７５を励起しないとき、制御板７３は引っ張りコイルばね７７によって上方へ引き上げられ、制御板７３に設けた補助底壁８１は底壁６９のスリット７９内に進入している。パチンコ島２１の内部にある傾斜シュート２５上を転がったパチンコ玉Ｐ，・・が揚送装置２７の下方部分にある流入領域５７に流入すると、パチンコ玉Ｐ，・・は傾斜シュート６１に落下し、傾斜シュート６１上を転がる。その後、流入傾斜部５３に達すると、パチンコ玉Ｐ，・・は流入傾斜部５３にある複数のガイド溝５５，・・によって整列され、各ガイド溝５５の補助底壁８１上を一列に転がる。各ガイド溝５５の補助底壁８１を転がったパチンコ玉Ｐ，・・が流入傾斜部５３から出ると、パチンコ玉Ｐ，・・は、下端に移動した揚送ベルト３５ｂと円弧状案内部３９とに挟持されて移動し、揚送基部３７に導かれる。揚送基部３７においてもパチンコ玉Ｐ，・・は揚送ベルト３５との間に挟持され、揚送される。
【００２５】
パチンコ玉Ｐ，・・が流入傾斜部５３にある複数のガイド溝５５，・・によって面的な広がりを持って整列しているとき、揚送装置によって揚送されるパチンコ玉の流入数は実質的に一定の状態を保つ。ここで、その流入数が多いために個々のパチンコ玉Ｐ，・・が受ける力が小さすぎて磨きムラが生じる恐れがあるときはソレノイド７５を励起させて制御板７３を引っ張りコイルばね７７に抗しながら下方引き下げる。すると補助底壁８１がスリット７９から退出するため、パチンコ玉Ｐ，・・はスリット７９の両側の縁部７９ａ，７９ａを転動するようになる。つまり、１点により支持されていたパチンコ玉Ｐ，・・が２点により支持されるようになる。これによってパチンコ玉Ｐ，・・の転がり速度が減少し、その流入数が減少する。流入数の減少により、その分、流入した個々のパチンコ玉Ｐ，・・が受ける力が大きくなって磨きムラが解消する。その後、ソレノイド７５の励起を止めると、引っ張りコイルばね７７の作用によって制御板７３が引き上げられ、補助底壁８１がスリット７９内に進入する。
【００２６】
揚送されるパチンコ玉Ｐ，・・の流入数過多の発生は、例えば、揚送ベルト３５の搬送面３５ａに対向する揚送塔３１の部分にセンサを取り付けておき、このセンサがパチンコ玉Ｐ，・・の通過を検知する時間が所定の時間より長くなったとき、流入数過多と仮定することによって知ることができる。
【００２７】
（別の実施形態）
前述の実施形態では、減速手段は、パチンコ玉Ｐ，・・の摩擦接触する部分を増やすことによってパチンコ玉の運動エネルギーを減らし、パチンコ玉の転がり速度を減少している。これに代えて、減速手段は、流入傾斜部の水平面に対する傾斜角度を小さくすることによってパチンコ玉Ｐ，・・の転がり速度を減少することができる。次に本発明の別の実施形態を説明する。
【００２８】
本発明の別の実施形態では、揚送装置が揚送ベルト３５と、揚送基部３７と、円弧状案内部３９と、を備える点で前記実施形態と同じである。別の実施形態では、パチンコ玉Ｐ，・・を円弧状案内部３９に導くための、円弧状案内部３９に接線状に連接する流入傾斜部８３を備える。流入傾斜部８３は、図８及び図９に示すように、円弧状案内部３９へ向けて延びる複数のガイド溝８５，・・を上側面に有する。
【００２９】
流入案内部８３は、流入領域５７のうちほぼ半分にわたる大きさであり、流入領域５７の残りの部分には平板状の傾斜シュート６１を設けてある。流入案内部８３は、複数のガイド溝８５，・・がある転動部８７と、転動部８７の下側に配置した作動部８９とを備える。転動部８７は、複数の側壁９１を、長方形の平面形状を有する底壁９３から直立して等間隔で並べ、隣り合った側壁９１，９１間の間隔をガイド溝８５，・・とした形態である。ガイド溝８５，・・は、パチンコ玉Ｐ，・・がわずかなすきまをおいてガイド溝８５，・・内に入る寸法に定めてある。転動部８７の底壁９３は、パチンコ玉Ｐ，・・の転がり方向に対して下流側で円弧状案内部３９にヒンジ９５で揺動可能に連結してある。一方、作動部８９は、パチンコ玉Ｐ，・・の転がり方向に対して上流側で底壁９３に揺動可能に連結した液圧シリンダ装置である。
【００３０】
（別の実施形態の作用効果）
流入傾斜部８３の液圧シリンダ装置８９を伸張したとき、転動部８７の底壁９３は通常の傾斜状態にある。パチンコ島２１（図１）の内部にある傾斜シュート２５上を転がったパチンコ玉Ｐ，・・が揚送装置２７の下方部分にある流入領域５７に流入すると、パチンコ玉Ｐ，・・は傾斜シュート６１に落下し、傾斜シュート６１上を転がる。その後、流入傾斜部８３に達すると、パチンコ玉Ｐ，・・は流入傾斜部８３にある複数のガイド溝８５，・・によって整列され、各ガイド溝８５の底壁９３上を一列に転がる。各ガイド溝８５の底壁９３を転がったパチンコ玉Ｐ，・・が流入傾斜部８３から出ると、パチンコ玉Ｐ，・・は、下端に移動した揚送ベルト３５ｂと円弧状案内部３９とに挟持されて移動し、揚送基部３７に導かれる。揚送基部３７においてもパチンコ玉Ｐ，・・は揚送ベルト３５との間に挟持され、揚送される。
【００３１】
パチンコ玉Ｐ，・・が流入傾斜部８３にある複数のガイド溝８５，・・によって面的な広がりを持って整列しているとき、揚送装置によって揚送されるパチンコ玉の流入数は実質的に一定の状態を保つ。ここで、その流入数が多いために個々のパチンコ玉Ｐ，・・が受ける力が小さすぎて磨きムラが生じる恐れがあるときは液圧シリンダ装置８９を縮小すると、図８の仮想線で示すように、流入傾斜部８３が下方へ揺動し、流入傾斜部８３の水平面に対する傾斜角度が小さくなる。その結果、パチンコ玉Ｐ，・・は緩い傾斜となった底壁９３を転動するようになる。これによってパチンコ玉Ｐ，・・の転がり速度が減少し、その分、個々のパチンコ玉Ｐ，・・が受ける力が大きくなって磨きムラが解消される。その後、液圧シリンダ装置８９を伸張すると、底壁９３が通常の位置に復帰する。
【００３２】
（適用例）
図３ないし図７に示した実施形態と図８及び図９に示した実施形態とを実施する際、揚送基部３７と円弧状案内部３９とにガイド溝を設けることが好ましい。次にそのような好適の適用例について説明する。
【００３３】
図１０に示すように、揚送基部３７は、流入傾斜部５３，８３のガイド溝５５，８５，・・と同数の、揚送ベルト３５の移動方向へ延びるガイド溝１０１，・・を搬送面３５ａと対向する面に有する。円弧状案内部３９の図示は省略してある
が、円弧状案内部３９もまた流入傾斜部５３，８３のガイド溝５５，８５，・・と同数の、揚送ベルト３５の移動方向へ延びるガイド溝を搬送面３５ａと対向する面に有する。いずれのガイド溝も同じ構造とすることができる。
【００３４】
揚送基部３７に設けるガイド溝１０１，・・は、揚送基部３７の受け部材３７ａに形成した溝１０１ａそのものであってもよく、溝１０１ａに研磨布１０１ｂを嵌め合わせた研磨布付きとしてもよい。後者によれば、パチンコ玉Ｐ，・・を揚送する間にパチンコ玉Ｐ，・・を研磨することができるため、別途研磨装置を設置する必要がない。
【００３５】
【発明の効果】
本発明によれば、流入傾斜部においてパチンコ玉を整列すると共に、パチンコ玉の転がり速度を減少させりことができるため、この減少によりパチンコ玉の流入数が減少させることが可能となる。パチンコ玉の流入数の減少により、その分、個々のパチンコ玉が受ける力が大きくすることができ、これにより、パチンコ玉の磨きムラを有効に解消することができる。
【図面の簡単な説明】
【図１】揚送装置を備えるパチンコ島の概略を示す正面図である。
【図２】揚送装置の一部を切欠いて示す側面図である。
【図３】図２に示した揚送装置の下方部分を拡大して示す側面図である。
【図４】流入傾斜部、円弧状案内部及び揚送基部の実施形態を示す、一部を断面とした側面図で、流入傾斜部の補助底壁がスリットから退出した状態を示している。
【図５】図４の５―５線に沿って切断した拡大断面図で、補助底壁がスリットから退出した状態を示している。
【図６】図４と同様な拡大断面図で、補助底壁がスリット内に進入した状態を示している。
【図７】流入傾斜部の平面図である。
【図８】流入傾斜部、円弧状案内部及び揚送基部の別の実施形態を示す、一部を断面とした側面図である。
【図９】図８の９−９線に沿って切断した断面図である。
【図１０】図３の１０−１０線に沿って切断した一部を示す断面図である。
【図１１】従来の揚送装置を示す図３と同様な側面図である。
【符号の説明】
２１　　　　　　　　　パチンコ島
２３　　　　　　　　　パチンコ遊技機
２５　　　　　　　　　傾斜シュート
２７　　　　　　　　　揚送装置
２９　　　　　　　　　ベース部
３１　　　　　　　　　揚送塔
３３　　　　　　　　　ドア
３５　　　　　　　　　揚送ベルト
３５ａ　　　　　　　　搬送面
３５ｂ　　　　　　　　下端に移動した揚送ベルト
３７　　　　　　　　　揚送基部
３９　　　　　　　　　円弧状案内部
４１　　　　　　　　　従動ローラ
４３　　　　　　　　　駆動ローラ
４５　　　　　　　　　従動プーリ
４７　　　　　　　　　モータ
４９　　　　　　　　　駆動プーリ
５１　　　　　　　　　ベルト
５３、８３　　　　　　流入傾斜部
５５、８５　　　　　　ガイド溝
５７　　　　　　　　　流入領域
５９　　　　　　　　　減速手段
６１　　　　　　　　　傾斜シュート
６３、８７　　　　　　転動部
６５、８９　　　　　　作動部
６７、９１　　　　　　側壁
６９、９３　　　　　　底壁
７１、９５　　　　　　ヒンジ
７３　　　　　　　　　制御板
７５　　　　　　　　　ソレノイド
７７　　　　　　　　　引っ張りコイルばね
７７ａ、７７ｂ　　　　フック
７９　　　　　　　　　スリット
７９ａ　　　　　　　　縁部
８１　　　　　　　　　補助底壁
１０１　　　　　　　　ガイド溝
１０１ａ　　　　　　　溝
１０１ｂ　　　　　　　研磨布
【図１】
2004089262.tif 000003
【図２】
2004089262.tif 000004
【図３】
2004089262.tif 000005
【図４】
2004089262.tif 000006
【図５】
2004089262.tif 000007
【図６】
2004089262.tif 000008
【図７】
2004089262.tif 000009
【図８】
2004089262.tif 000010
【図９】
2004089262.tif 000011
【図１０】
2004089262.tif 000012
【図１１】
2004089262.tif 000013